(57)【要約】【課題】光源からの光による影を確実に防止することができる照明装置を提供する。【解決手段】複数のＬＥＤ、ＥＬ等の光源と、該複数の光源の光を照射方向に反射させる反射体と、該複数の光源からの光及び／若しくは反射体からの光を照射面での影を防止すべく拡散させる拡散体とを備えてなることができる。【選択図】図１
2008300295.tif 000002
【特許請求の範囲】
【請求項１】
複数のＬＥＤ、ＥＬ等の光源と、該複数の光源の光を照射方向に反射させる反射体と、該複数の光源からの光及び／若しくは反射体からの光を照射面での影を防止すべく拡散させる拡散体とを備えてなることを特徴とする照明装置。
【請求項２】
上記複数の光源から発生する熱を外部に放熱する放熱孔及び／若しくはリブを装置本体に備えてなることを特徴とする請求項１に記載の照明装置。
【請求項３】
上記反射体が放熱孔からの光漏れを防止すべく形成してなることを特徴とする請求項２に記載の照明装置。
【発明の詳細な説明】
【技術分野】
【０００１】
本発明は電気スタンド、ウォールライト等の屋内照明器具、街灯、信号等の屋外照明器具に関し、特に、ＬＥＤ（発光ダイオード）、有機ＥＬ（エレクトロ・ルミネッセンス）等の光源を備え、該光源からの光による影を確実に防止することができる照明装置に関するものである。
【背景技術】
【０００２】
従来の照明装置、例えば電気スタンドは図１０に示すように、支柱３０を備え、上記支柱３０の下端部に形成するスタンドベース２０を備え、上記支柱３０の上端部に形成するスタンド頭部１０を備え、上記スタンド頭部１０に多数の発光ダイオードを配置し、上記スタンドベース２０に上記各発光ダイオードへ給電する蓄電池を内蔵し、上記スタンドベース２０に上記蓄電池を充電する充電器を内蔵し、上記充電器に商用電源電圧を降圧するダウントランスを設け、上記蓄電器・充電器の重みで上記スタンドベース２０を机上面等の上に安定に載置することを特徴とする（例えば、特許文献１参照）。
【特許文献１】特開２００４−１６５１１５号公報
【発明の開示】
【発明が解決しようとする課題】
【０００３】
しかしながら、特許文献１に記載されているスタンド照明では、発光ダイオードの光がそのまま照射されるため、発光ダイオードの数だけ影が出現するため、視認性が悪くなるという課題があった。
本発明は上記のような課題を解決するためになされたもので、光源からの光による影を確実に防止することができる照明装置を提供することを目的とするものである。
【課題を解決するための手段】
【０００４】
本発明に係る照明装置は、複数のＬＥＤ、ＥＬ等の光源と、該複数の光源の光を照射方向に反射させる反射体と、該複数の光源からの光及び／若しくは反射体からの光を照射面での影を防止すべく拡散させる拡散体とを備えてなることを特徴とする。
本発明にあっては、光源からの光による影を確実に防止することができる照明装置を実現できる。
【発明の効果】
【０００５】
本発明によれば、拡散部により光源からの光を拡散できるため、光源からの光による影を確実に防止することができる照明装置を実現できる。
【発明を実施するための最良の形態】
【０００６】
（実施の形態）
以下、本発明の照明装置の実施の形態を、電気スタンドに実施した場合について、図１から図９を用いて説明する。
本発明の照明装置１は、図１から図９に示すように、光源を構成する複数個の平面銭型状のＬＥＤモジュール２を、アルミ、銅等の熱伝導性の高い金属にて形成した第１のケース３の内面中央に設けた凹部３３に配設し、該複数個のＬＥＤモジュール２からの光を反射させる板状の反射体４を、上記第１のケース３とアルミダイキャストで形成した第２のケース５とで形成される空間に配置し、該第２のケース５に上記ＬＥＤモジュール２からを光及び／若しくは反射体４からの光を机等の被照射面での影を防止すべく拡散させる拡散体６を設けて構成するものである。
【０００７】
なお、上記構成において、上記複数個のＬＥＤモジュール２はモジュール基板にＬＥＤ素子を例えば３６個平面的に配設してなるものであり、また、上記第１のケース３は上記ＬＥＤモジュール２からの熱を外面に放熱するための表面積を高めるべくリブ３１を多数形成するとともに、上記ＬＥＤモジュール２からの熱を空気の対流にて外部へ放熱させるスリット孔３２を設けてなり、例えば、アルミダイキャストにて形成されるものである。
【０００８】
上記反射体４は、例えばステンレスもしくはステンレスに反射率の高い塗装を施して、または拡散性を有する反射材であるＭＣＰＥＴ（登録商標）等の樹脂製部材にて形成し、断面台形状で、上記ＬＥＤモジュール２を覆って（囲って）、上記ＬＥＤモジュール２の光を被照射面方向のみに向かって反射させるべく、被照射面方向に向かって拡開する形状に構成してなり、上記ＬＥＤモジュール２に電源を供給するリード線の配線切欠部４１を設けてなるものである。
【０００９】
上記第２のケース５は、上記ＬＥＤモジュール２からの熱を空気の対流にて外部へ放熱させる側壁５５に水平方向に細長いスリット孔５１を複数個設けると共に底壁５６に複数のスリット孔５２を設け、拡散体６の配設孔５７を設けてなるものである。
【００１０】
上記拡散体（拡散板）６は例えば、ポリカーボネイト、アクリル等からなる拡散性を有するシート状部材にて形成してなるものであり、上記照明装置１を電気スタンドとして使用する場合は、上記第２のケース５に切欠部５４を設けて、該切欠部５４を介してアーム７を取り付けて使用するものである。
また、上記アーム７をパイプ状に形成した場合、上記ＬＥＤモジュール２に電源を供給する電源コードをアーム７内部に配設することができる。
図１、図７、図８において、５３は拡散体６を第２のケース５に装着するための装着孔である。
【００１１】
上記のように構成してなる照明装置１は、ＬＥＤに電源が供給させることによりＬＥＤモジュールが発光し、その発光したＬＥＤモジュール２の光が直接もしくは反射体４を介して拡散体６にて被照射面での影を防止すべく拡散させ、被照射体に照射させるものである。
【００１２】
上記の場合、ＬＥＤモジュール２から発生する熱は第１のケース３及び第２のケース５自身から放熱され、さらに、第１のケース３のスリット孔３２から空気の対流にて外部に放熱されると共に、第１のケース３のリブ３１に熱伝導され外気に放熱される。その上、第２のケース５の側壁のスリット孔５１及び底壁のスリット孔５２にて空気の対流にて外部に放熱される。
【００１３】
上記反射体４はＬＥＤモジュール２を覆って（囲って）、上記ＬＥＤモジュール２の光を被照射面方向のみに向かって反射させ、また、拡散体６にて反射した光を再び拡散体６に戻すべく反射させるので、ＬＥＤモジュール２の光は拡散体６からのみ光を照射することができ、第１のケースのスリット孔３２及び第２のケースのスリット孔５１及びスリット孔５２から光が照射されることがなく、第１のケースのスリット孔３２及び第２のケースのスリット孔５１及びスリット孔５２からの光の漏れを確実に防止することができる。そして、拡散体６の明るさを均一にすることができる。
【００１４】
上記拡散体６は、透過率を変えることにより、ＬＥＤモジュール２の外部からの見え方を異ならせることができる。従って、ＬＥＤモジュール２と拡散体６の空間距離、必要照度、影の出方を考慮して、必要とする透過率を決定するものである。
【図面の簡単な説明】
【００１５】
【図１】本発明の照明装置の実施の形態を示す下方から視た要部斜視図
【図２】本発明の照明装置の実施の形態を示す上方から視た要部斜視図
【図３】図１の要部分解斜視図
【図４】本発明の照明装置の第１のケースの平面図
【図５】本発明の照明装置の第１のケースの背面図
【図６】（ａ）は本発明の照明装置の第１のケースの正面図、（ｂ）はその側面図
【図７】本発明の照明装置の第２のケースの平面図
【図８】本発明の照明装置の第２のケースの背面図
【図９】（ａ）は本発明の照明装置の第２のケースの正面図、（ｂ）はその側面図
【図１０】従来の電気スタンドの斜視図
【符号の説明】
【００１６】
１  照明装置
２  ＬＥＤモジュール
３  第１のケース
４  反射体
５  第２のケース
６  拡散体
７  アーム
３１  リブ
３２，５１，５５  スリット孔
【図１】
2008300295.tif 000003
【図２】
2008300295.tif 000004
【図３】
2008300295.tif 000005
【図４】
2008300295.tif 000006
【図５】
2008300295.tif 000007
【図６】
2008300295.tif 000008
【図７】
2008300295.tif 000009
【図８】
2008300295.tif 000010
【図９】
2008300295.tif 000011
【図１０】
2008300295.tif 000012